(57)【要約】【課題】保管収納状態及び運搬時においてかさばらず、保管や組み立てが容易であって、強度のある簡易便器を提供すること。【解決手段】  この発明の簡易便器１０は、便座部１２と、便座部１２を取り付け支持する便器本体１４とを備え、  前記便座部１２は、便器本体１４の上部の開口部６２に嵌め込むための係合部３２を有し、前記便器本体１４は、連設された複数の支持構成体７０を筒状に連結され、内側に便収容袋５００を収容できるように構成され、連結された支持構成体７０で形成された開口部６２の上端部に嵌め込まれた便座部１２によって保型され、用便者が着座して用を足せるように形成されている。【選択図】図１
2016202386.tif 000002
【特許請求の範囲】
【請求項１】
便座部と、便座部を取り付け支持する便器本体とを備え、
前記便座部は、便器本体の上部の開口部に嵌め込むための係合部を有し、
前記便器本体は、連設された複数の支持構成体を筒状に連結され、内側に便収容袋を収容できるように構成され、
連結された支持構成体で形成された開口部の上端部に嵌め込まれた便座部によって保型され、用便者が着座して用を足せるように形成された、簡易便器。
【請求項２】
便座部は、一対の便座部構成体を折り曲げ自在に、連結され、
その中央に排便穴が形成され、
その上面に着座部が形成され、
その下面に一対の便座部構成体に跨って形成された溝状の係合部が形成され、
一対の便座部構成体は、二つ折りになっている便座部構成体を展開して略水平面状にされた状態にて、溝状の係合部が便器本体の開口部に嵌め込み固定され、
転化した一対の便座部構成体は、一対の便座部構成体に跨って、着座部が形成され且つ中央に排便穴が形成される、請求項１に記載の簡易便器。
【請求項３】
便器本体は、板状の胴部が、板状単位体を屈曲自在に連結する第２連結部により並列された支持構成体を、複数、屈曲自在に連結する第１連結部により斜交又は直交するように連結されて形成され、
前記第１連結部は、左右の方形の揺動片と、左右の揺動片の間において長手方向にのびるヒンジ部とを有し、
前記揺動片は、ヒンジ部を挟んで、並列される板状単位体と連結するための係止部を形成され、
前記第１連結部は、角筒状の便器本体の角部を形成するように構成された、請求項１ないし請求項２のいずれかに記載の簡易便器。
【請求項４】
便器本体は、屈曲自在に連結する第１連結部により複数の支持構成体が並列され、
一方の端の支持構成体と他方の端の支持構成体とは、それぞれの遊端縁に形成された第３連結部により連結され、
連結された複数の支持構成体の境界の第１連結部において、複数の支持構成体が斜交又は直交して、第１連結部が角筒状の便器本体の角部を形成するように構成された、請求項１ないし請求項３のいずれかに記載の簡易便器。
【請求項５】
複数の支持構成体は、略々同一の方形の板状単位体を並列して第２連結部により連結され、
前記第２連結部は、左右の方形の揺動片と、左右の揺動片の間において長手方向にのびるヒンジ部とを有し、
前記揺動片は、ヒンジ部を挟んで、並列される板状単位体と連結するための係止部を形成され、
前記板状単位体は、並列する板状単位体に形成された係止部と第２連結部の係止部とを連結して、屈曲自在に連結された、請求項１ないし請求項４のいずれかに記載の簡易便器。
【請求項６】
便収容袋は、便器本体に収容された便収容袋の開口部の近傍を便器本体の開口縁に内側から外側に向けて被せられ、
便座部は、その係合部が便器本体の開口縁に被せられた便収容袋の上から被せられ、便収容袋を間に挟んで、便器本体に連結された、請求項１ないし請求項５のいずれかに記載の簡易便器。
【請求項７】
便器本体は、その胴部が、複数枚の板状単位体を、隣接する側端部で接続部材により屈曲自在に連結してなる支持構成体により形成され、
前記接続部材は、第１連結部及び第２連結部を構成し、板状単位体を水平方向に折り畳むためのヒンジ部と、ヒンジ部の両側に構成され、接続部材を板状単位体に固定するための揺動片とを有し、
前記ヒンジ部は、板状単位体の隣接する側端部の折り畳み方向が交互になるように構成され、
前記支持構成体は、折り畳み収納姿勢のときには順次水平方向にジクザグ状に折り畳み可能で且つ展開直立姿勢のときには遊端を連結され、起立させた状態において便座部により保型される、請求項１ないし請求項６のいずれかに記載の簡易便器。
【請求項８】
接続部材のヒンジ部は、直線状に連続して、隣接する各板状単位体の側端縁の折り畳み方向が交互になっており、
板状単位体は、ジグザグ状に折り畳まれ、
各板状単位体は、ヒンジ部を折り畳むと、ヒンジ部の両端に連結された各板状単位体の各々が積み重ねられて、束になる、請求項１ないし請求項７のいずれかに記載の簡易便器。
【発明の詳細な説明】
【技術分野】
【０００１】
本発明は、組み立て式の簡易便器に関する。
【背景技術】
【０００２】
組立式の簡易便器は、地震や風水害などの非常時のみならず、各種屋外活動において用便をするときに用いられる。このような簡易便器は、保管収納状態及び運搬時においてかさばらず、使用時における組み立てが容易であることが望まれている。このような簡易便器として特許文献１，２などに開示されたものがある。
【０００３】
特許文献１に開示された簡易便器は、
一枚のパネルから組み立てられ、上端に開口部１１が形成される便器本体１２と、この便器本体１２の開口部１１を塞ぐように便器本体１２の上端部に連結され、一枚のパネルから組み立てられる便座部１３とを具え、その便座部１３が、開口部３１が形成された環状の下板部２５と、この下板部２５の開口部３１とほぼ対応した開口部３２が形成された上板部３３と、この上板部３３と下板部２５とが重なり合うように、これらを相互につなぐ折り曲げ部３４と、上板部３３の開口部３２を塞ぐ便座蓋３５と、この便座蓋３５と上板部３３とを相互につなぐ連結ヒンジ部３６とを具える。
【０００４】
特許文献２に開示された簡易トイレは、
それぞれ段ボールからなる外箱１と内箱１０とプラスチック製袋２０とを備え、外箱１は、４面の垂直面部２と底面部と便座部４を備え、内箱１０は、垂直面部１１を備えた筒状をなしている。プラスチック製袋２０は上辺開口部２１に開閉自在なジッパー２２を有し、上辺開口部２１は内箱１０の垂直面部１１の上端で外側に折り返され、かつ、垂直面部１１の上端と外箱１の小蓋部６との間に挟み込まれる。
【０００５】
【特許文献１】特開２００７−４４３５６号公報
【特許文献２】特開２００８−１０４５５８号公報
【発明の開示】
【発明が解決しようとする課題】
【０００６】
特許文献１に開示された従来の簡易便器及び特許文献２に開示された簡易便器は、段ボールからなるので軽量であるため、運搬が容易であるという利点を有する。しかしながら、特許文献１に開示された簡易便器及び特許文献２に開示された簡易トイレは、トイレ構成体の強度が充分ではなく、その座り心地も余り良くないという問題がある。
【０００７】
（発明の目的）
本発明の目的は、保管収納状態及び運搬時においてかさばらず、保管や組み立てが容易であって、強度のある簡易便器を提供することにある。
【課題を解決するための手段】
【０００８】
この発明の請求項１にかかる簡易便器は、便座部と、便座部を取り付け支持する便器本体とを備え、前記便座部は、便器本体の上部の開口部に嵌め込むための係合部を有し、前記便器本体は、連設された複数の支持構成体を筒状に連結され、内側に便収容袋を収容できるように構成され、連結された支持構成体で形成された開口部の上端部に嵌め込まれた便座部によって保型され、用便者が着座して用を足せるように形成された、簡易便器である。
この発明の請求項２にかかる便座部は、一対の便座部構成体を折り曲げ自在に、連結され、その中央に排便穴が形成され、その上面に着座部が形成され、その下面に一対の便座部構成体に跨って形成された溝状の係合部が形成され、一対の便座部構成体は、二つ折りになっている便座部構成体を展開して略水平面状にされた状態にて、溝状の係合部が便器本体の開口部に嵌め込み固定され、転化した一対の便座部構成体は、一対の便座部構成体に跨って、着座部が形成され且つ中央に排便穴が形成される、請求項１に記載の簡易便器である。
この発明の請求項３にかかる便器本体は、板状の胴部が、板状単位体を屈曲自在に連結する第２連結部により並列された支持構成体を、複数、屈曲自在に連結する第１連結部により斜交又は直交するように連結されて形成され、前記第１連結部は、左右の方形の揺動片と、左右の揺動片の間において長手方向にのびるヒンジ部とを有し、前記揺動片は、ヒンジ部を挟んで、並列される板状単位体と連結するための係止部を形成され、前記第１連結部は、角筒状の便器本体の角部を形成するように構成された、請求項１ないし請求項２のいずれかに記載の簡易便器である。
この発明の請求項４にかかる便器本体は、屈曲自在に連結する第１連結部により複数の支持構成体が並列され、一方の端の支持構成体と他方の端の支持構成体とは、それぞれの遊端縁に形成された第３連結部により連結され、連結された複数の支持構成体の境界の第１連結部において、複数の支持構成体が斜交又は直交して、第１連結部が角筒状の便器本体の角部を形成するように構成された、請求項１ないし請求項３のいずれかに記載の簡易便器である。
この発明の請求項５にかかる複数の支持構成体は、略々同一の方形の板状単位体を並列して第２連結部により連結され、前記第２連結部は、左右の方形の揺動片と、左右の揺動片の間において長手方向にのびるヒンジ部とを有し、前記揺動片は、ヒンジ部を挟んで、並列される板状単位体と連結するための係止部を形成され、前記板状単位体は、並列する板状単位体に形成された係止部と第２連結部の係止部とを連結して、屈曲自在に連結された、請求項１ないし請求項４のいずれかに記載の簡易便器である。
この発明の請求項６にかかる便収容袋は、便器本体に収容された便収容袋の開口部の近傍を便器本体の開口縁に内側から外側に向けて被せられ、便座部は、その係合部が便器本体の開口縁に被せられた便収容袋の上から被せられ、便収容袋を間に挟んで、便器本体に連結された、請求項１ないし請求項５のいずれかに記載の簡易便器である。
この発明の請求項７にかかる便器本体は、その胴部が、複数枚の板状単位体を、隣接する側端部で接続部材により屈曲自在に連結してなる支持構成体により形成され、前記接続部材は、第１連結部及び第２連結部を構成し、板状単位体を水平方向に折り畳むためのヒンジ部と、ヒンジ部の両側に構成され、接続部材を板状単位体に固定するための揺動片とを有し、前記ヒンジ部は、板状単位体の隣接する側端部の折り畳み方向が交互になるように構成され、前記支持構成体は、折り畳み収納姿勢のときには順次水平方向にジクザグ状に折り畳み可能で且つ展開直立姿勢のときには遊端を連結され、起立させた状態において便座部により保型される、請求項１ないし請求項６のいずれかに記載の簡易便器である。
この発明の請求項８にかかる接続部材のヒンジ部は、直線状に連続して、隣接する各板状単位体の側端縁の折り畳み方向が交互になっており、板状単位体は、ジグザグ状に折り畳まれ、各板状単位体は、ヒンジ部を折り畳むと、ヒンジ部の両端に連結された各板状単位体の各々が積み重ねられて、束になる、請求項１ないし請求項７のいずれかに記載の簡易便器である。
【発明の効果】
【０００９】
本発明にかかる簡易便器は、便座部と、便座部を取り付け支持する便器本体とを備え、
前記便座部は、便器本体の上部の開口部に嵌め込むための係合部を有し、
前記便器本体は、連設された複数の支持構成体を筒状に連結され、内側に便収容袋を収容できるように構成され、
連結された支持構成体で形成された開口部の上端部に嵌め込まれた便座部によって保型され、用便者が着座して用を足せるように形成されているので、保管収納状態及び運搬時においてかさばらず、保管や組み立てが容易であって、強度のある簡易便器を提供することができる。
請求項２の発明によれば、
便座部は、一対の便座部構成体を折り曲げ自在に、連結され、
その中央に排便穴が形成され、
その上面に着座部が形成され、
その下面に一対の便座部構成体に跨って形成された溝状の係合部が形成され、
一対の便座部構成体は、二つ折りになっている便座部構成体を展開して略水平面状にされた状態にて、溝状の係合部が便器本体の開口部に嵌め込み固定され、
転化した一対の便座部構成体は、一対の便座部構成体に跨って、着座部が形成され且つ中央に排便穴が形成されるので、保管収納状態及び運搬時においてかさばらず、保管や組み立てが容易であって、強度のある簡易便器を提供することができる。
請求項３の発明によれば、
便器本体は、板状の胴部が、板状単位体を屈曲自在に連結する第２連結部により並列された支持構成体を、複数、屈曲自在に連結する第１連結部により斜交又は直交するように連結されて形成され、
前記第１連結部は、左右の方形の揺動片と、左右の揺動片の間において長手方向にのびるヒンジ部とを有し、
前記揺動片は、ヒンジ部を挟んで、並列される板状単位体と連結するための係止部を形成され、
前記第１連結部は、角筒状の便器本体の角部を形成するように構成されているので、組み立てが容易である。
請求項４の発明によれば、
便器本体は、屈曲自在に連結する第１連結部により複数の支持構成体が並列され、
一方の端の支持構成体と他方の端の支持構成体とは、それぞれの遊端縁に形成された第３連結部により連結され、
連結された複数の支持構成体の境界の第１連結部において、複数の支持構成体が斜交又は直交して、第１連結部が角筒状の便器本体の角部を形成するように構成されているので、組み立てが容易である。
。
請求項５の発明によれば、
複数の支持構成体は、略々同一の方形の板状単位体を並列して第２連結部により連結され、
前記第２連結部は、左右の方形の揺動片と、左右の揺動片の間において長手方向にのびるヒンジ部とを有し、
前記揺動片は、ヒンジ部を挟んで、並列される板状単位体と連結するための係止部を形成され、
前記板状単位体は、並列する板状単位体に形成された係止部と第２連結部の係止部とを連結して、屈曲自在に連結されているので、組み立てが容易である。
請求項６の発明によれば、
便収容袋は、便器本体に収容された便収容袋の開口部の近傍を便器本体の開口縁に内側から外側に向けて被せられ、
便座部は、その係合部が便器本体の開口縁に被せられた便収容袋の上から被せられ、便収容袋を間に挟んで、便器本体に連結されるので、保管収納状態及び運搬時においてかさばらず、保管や組み立てが容易であって、強度のある簡易便器を提供することができる。
請求項７の発明によれば、
便器本体は、その胴部が、複数枚の板状単位体を、隣接する側端部で接続部材により屈曲自在に連結してなる支持構成体により形成され、
前記接続部材は、第１連結部及び第２連結部を構成し、板状単位体を水平方向に折り畳むためのヒンジ部と、ヒンジ部の両側に構成され、接続部材を板状単位体に固定するための揺動片とを有し、
前記ヒンジ部は、板状単位体の隣接する側端部の折り畳み方向が交互になるように構成され、
前記支持構成体は、折り畳み収納姿勢のときには順次水平方向にジクザグ状に折り畳み可能で且つ展開直立姿勢のときには遊端を連結され、起立させた状態において便座部により保型されているので、組み立てが容易である。
請求項８の発明によれば、
接続部材のヒンジ部は、直線状に連続して、隣接する各板状単位体の側端縁の折り畳み方向が交互になっており、
板状単位体は、ジグザグ状に折り畳まれ、
各板状単位体は、ヒンジ部を折り畳むと、ヒンジ部の両端に連結された各板状単位体の各々が積み重ねられて、束になるので、保管収納状態及び運搬時においてかさばらず、保管や組み立てが容易であって、強度のある簡易便器を提供することができる。
【００１０】
この発明の上述の目的、その他の目的、特徴及び利点は、図面を参照して行う以下の発明を実施するための形態の説明から一層明らかとなろう。
【図面の簡単な説明】
【００１１】
【図１】本発明に係る簡易便器の一実施形態の外観を表す斜視図解図である。
【図２Ａ】本発明に係る簡易便器の一実施形態の断面図解図（図１IIＡ−IIＡ断面図解図）である。
【図２Ｂ】本発明に係る簡易便器の一実施形態の断面図解図（図１IIＢ−IIＢ断面図解図）である。
【図３】図１に示した簡易便器を支持構成体を構成する板状単位体の図解図であり、（Ａ）は正面図解図、（Ｂ）は側面図解図、（Ｃ）はその平面図解図である。
【図４】図１に示した簡易便器を支持構成体を構成する板状単位体の図解図であり、（Ａ）は正面図解図、（Ｂ）は側面図解図、（Ｃ）はその平面図解図である。
【図５】接続部材の図解図であり、（Ａ）は正面図解図であり（Ｂ）は平面図解図である。
【図６】図１図示簡易便器の組立て時を示す断面図解図である。
【図７】図１図示簡易便器の組立て時を示す正面図解図である。
【図８】図１図示簡易便器の組立て時を示す斜視図解図である。
【図９】図１図示簡易便器の組立て時を示す断面図解図である。
【図１０】図１図示簡易便器の組立て時を示す斜視図解図である。
【図１１】板状単位体を接続部材で連結する方法を示す斜視図解図である。
【図１２】図１図示簡易便器の組立て時を示す斜視図解図である。
【図１３】図１図示簡易便器の組立て時を示す斜視図解図である。
【図１４】図１に示した簡易便器における便器本体の平面図である。
【図１５】図１に示した簡易便器における便器本体の正面図である。
【図１６Ａ】図１５Ａ−Ａ断面図解図である。
【図１６Ｂ】図１５Ｂ−Ｂ断面図解図である。
【図１７】組み上がった便器本体の斜視図解図である。
【図１８】図１に示した簡易便器の便器本体に便収容袋を取り付けた状態を示す斜視図である。
【図１９】図１に示した簡易便器における便座部を構成する便座部構成体の図解図である。
【図２０】図１に示した簡易便器における便座部を構成する便座部構成体の図解図である。
【図２１】図１に示した簡易便器における便座部を構成する便座部構成体の図解図である。
【図２２】図１図示簡易便器の折り畳み収納時の斜視図解図である。
【図２３】図１図示簡易便器の折り畳み収納時の断面図解図である。
【図２４】本発明に係る簡易便器の他の実施形態の外観を表す斜視図解図である。
【図２５】本発明に係る簡易便器の他の実施形態の外観を表す斜視図解図である。
【図２６】図２５に示した簡易便器を構成する支持構成体の正面図解図である。
【図２７】図２５図示簡易便器の組立て時を示す平面図解図である。
【図２８】図２５図示簡易便器の組立て時を示す斜視図解図である。
【図２９】図２５図示簡易便器の組立て時を示す斜視図解図である。
【図３０】図２５図示簡易便器の組立て時を示す斜視図解図である。
【発明を実施するための形態】
【００１２】
本件発明にかかる簡易便器１０は、便座部１２と、便座部１２を取り付け支持する便器本体１４とを備える。
前記便座部１２は、便器本体１４の上部の開口部６２に嵌め込むための構造を有している。
前記便器本体１４は、連設された複数の支持構成体７０を筒状に連結され、内側に便収容袋５００を収容できるように構成され、
連結された支持構成体７０で形成された開口部６２の上端部に嵌め込まれた便座部１２によって保型され、用便者が着座して用を足せるように形成されている。
【００１３】
便収容袋５００の中には、吸水性ポリマーと活性炭を主原料としてなる、し尿・排泄物の凝固・消臭用の化学剤、吸水性ポリマーと活性炭を主原料としてなる嘔吐物の凝固・消臭用の化学剤を投入する。
【００１４】
便座部１２は、一対の第１の便座部構成体２０及び第２の便座部構成体３０を折り曲げ自在に、連結され、その中央に排便穴（第１の便座部構成体２０の排便穴２４及び第２の便座部構成体３０の排便穴３４）が形成され、且つ、その上面に着座部（第１の便座部構成体２０の着座部２６及び第２の便座部構成体３０の着座部３６）が形成されている。
【００１５】
便座部１２を構成する第１の便座部構成体２０及び第２の便座部構成体３０の形状を図１９及び図２０に示す。
本実施形態における便座部１２は、前後方向に細長い排便穴２４が形成された略Ｕ字型状の第１の便座部構成体２０と、この第１の便座部構成体２０の排便穴２４とほぼ対応した排便穴３４が形成された略Ｕ字型状の第２の便座部構成体３０と、この第１の便座部構成体２０に前記第２の便座部構成体３０が折り重なるように第１の便座部構成体２０に対して第２の便座部構成体３０を回動可能に接続する連結ヒンジ部２８及び連結ヒンジ部３８とを具えている。
第１の便座部構成体２０は、第２の便座部構成体３０と同一の構造を備えており、第１の便座部構成体２０の一方端の連結領域と第２の便座部構成体３０の一方端の連結領域とを連結し且つ第２の便座部構成体３０の他方端の連結領域と第２の便座部構成体３０の他方端の連結領域とを連結したとき、第１の便座部構成体２０と第２の便座部構成体３０とは左右対称となる。
【００１６】
第１の便座部構成体２０及び第２の便座部構成体３０を展開した時に、第１の便座部構成体２０の排便穴２４と第２の便座部構成体３０の排便穴３４とはつながって、平面視円形の排便穴が形成され、又、第１の便座部構成体２０及び第２の便座部構成体３０を展開したときに、第１の便座部構成体２０の着座部２６と第２の便座部構成体３０の着座部３６とがつながって、円環状の着座部が形成される。
【００１７】
連結ヒンジ部３８は、第１の便座部構成体２０の接合部と接続部材２００の第２の便座部構成体３０の接合部との境界に位置する薄肉状の屈曲部を備え、その第１の便座部構成体２０に連結ヒンジ部３８の自由端を、第２の便座部構成体３０の接合部に固定し、且つ第２の便座部構成体３０の連結ヒンジ部３８の自由端を、第１の便座部構成体２０の接合部に固定する。
第１の便座部構成体２０と第２の便座部構成体３０とを連結するヒンジ部２０２は第１の便座部構成体２０の接合部及び第２の便座部構成体３０の接合部に形成された連結ヒンジ部３８を、第１の便座部構成体２０の連結ヒンジ部３８を第２の便座部構成体３０の接合部に固定し、第２の便座部構成体３０の連結ヒンジ部３８を第１の便座部構成体２０の接合部に固定してなる。
【００１８】
便座部１２は、その下面側に、便器本体１４の上部の開口部６２に嵌め込むために、一対の第１の便座部構成体２０及び第２の便座部構成体３０に跨って形成された溝状の係合部２２及び係合部３２が形成されている。
第１の便座部構成体２０は、半環状の凹溝を下面側に形成することで便器本体１４の胴部５０に固定するための係合部２２を形成している。第２の便座部構成体３０は、半環状の凹溝を下面側に形成することで便器本体１４の胴部５０に固定するための係合部３２を形成している。
【００１９】
第１の便座部構成体２０の係合部２２は、一方端の第２の便座部構成体３０との連結  領域から他方端の第２の便座部構成体３０との連結領域に至る、底面視略Ｕ字型の溝で  構成される。
第２の便座部構成体３０の係合部３２は、一方端の第２の便座部構成体３０との連結  領域から他方端の第２の便座部構成体３０との連結領域に至る、底面視略Ｕ字型の溝で  構成される。
第１の便座部構成体２０の係合部２２と第２の便座部構成体３０の係合部３２とは、  展開して略水平面状にされた状態にて、連結領域を間に挟んで、その間が途切れた底面  視略方形の溝が形成される。
【００２０】
一対の第１の便座部構成体２０及び第２の便座部構成体３０は、二つ折りになっている第１の便座部構成体２０及び第２の便座部構成体３０を展開して略水平面状にされた状態にて、溝状の係合部２２及び係合部３２が便器本体１４の開口部６２に嵌め込み固定される。
転化した一対の第１の便座部構成体２０及び第２の便座部構成体３０は、一対の第１の便座部構成体２０及び第２の便座部構成体３０に跨って、着座部２６と着座部３６がつながった円環状の着座部が形成され且つ中央に排便穴２４と排便穴３４とがつながった排便穴が形成されるように形成されている。
【００２１】
第１の便座部構成体２０は、一方端に第２の便座部構成体３０との連結領域が形成され且つ他方端に第２の便座部構成体３０との連結領域が形成されている。
第１の便座部構成体２０の一方端及び他方端の連結領域は、第２の便座部構成体３０の一方端の接合面４０ｂ及び他方端の接合面４２ｂと向き合い接する接合面（一方端の接合面４０ａ及び他方端の接合面４２ａ）が形成されている。
第１の便座部構成体２０は、一方端の連結領域の接合面４０ａに凸条４４ａが形成され、且つ他方端の連結領域の接合面４２ａに、凹条４６ａが形成されている。
第１の便座部構成体２０は、一方端に、向き合う第２の便座部構成体３０の一方端に向けて凸条４４ａが左右一対形成されている。
【００２２】
第２の便座部構成体３０は、一方端に第１の便座部構成体２０との連結領域が形成され且つ他方端に第１の便座部構成体２０との連結領域が形成されている。
第２の便座部構成体３０の一方端及び他方端の連結領域は、第１の便座部構成体２０の一方端の接合面４０ａ及び他方端の接合面４２ａと向き合い接する接合面（一方端の接合面４０ｂ及び他方端の接合面４２ｂ）が形成されている。
第２の便座部構成体３０は、一方端の連結領域内の接合面４０ｂに凹条４６ｂが形成され、且つ他方端の連結領域の接合面４２ｂに、凸条４４ｂが形成されている。
第２の便座部構成体３０は、一方端に向き合う第１の便座部構成体２０の一方端に向けて凸条４４ｂが左右一対形成されている。
【００２３】
第１の便座部構成体２０及び第２の便座部構成体３０は、展開したとき、第１の便座部構成体２０の一方端の凸条４４ａと第２の便座部構成体３０の一方端の凹条４６ｂとが嵌合される。
第１の便座部構成体２０及び第２の便座部構成体３０は、展開したとき、第２の便座部構成体３０の他方端の凸条４６ａと第２の便座部構成体３０の他方端の凹条４４ｂとが嵌合される。
従って、便座部１２の着座部２６及び着座部３６に人が用便のために座って荷重がかかっても、便座部１２が下方に撓んだり第１の便座部構成体２０と第２の便座部構成体３０との接合部分において折れ曲がることはない。
また、第１の便座部構成体２０と第２の便座部構成体３０とを重ねた場合、２つ折り状態で保管することができるため、そのための保管スペースが狭くて済む。
【００２４】
直方体の箱状をなす便器本体１４は、図８ないし１８に示すように、胴部５０を備え、胴部５０は、前壁部５２と、左右一対の側壁部５４及び右側壁部５６と、これら側壁部５４及び右側壁部５６を挟んで前壁部５２と対向する後壁部５８とを備える。
【００２５】
胴部５０は、角環状に連結された支持構成体７０により形成される。
支持構成体７０は、第１支持構成体７２が前壁部５２を形成し、第２支持構成体７４が左側壁部５４を形成し、第３支持構成体７６が右側壁部５６を形成し、第４支持構成体７８が後壁部５８を形成する。
第１支持構成体７２は、第１板状単位体１０２と第２板状単位体１０４とにより構成され、第４支持構成体７８は、第１板状単位体１０２と第２板状単位体１０４とにより構成されている。
第２支持構成体７４は、第３板状単位体１０６と第４板状単位体１０８とにより構成され、第３支持構成体７６は、第３板状単位体１０６と第４板状単位体１０８とにより構成されている。
【００２６】
第１板状単位体１０２及び第２板状単位体１０４は、平面視方形の合成樹脂製平板で形成され、その上縁端と下縁端とは平行であり左端縁と右端縁とは平行であり、同一の構造を備える。
第１板状単位体１０２及び第２板状単位体１０４は、面剛性を備え、垂直方向に立てることができる。
第３板状単位体１０６及び第４板状単位体１０８は、平面視方形の合成樹脂製平板で形成され、その上縁端と下縁端とは平行であり左端縁と右端縁とは平行であり、同一の構造を備える。
第３板状単位体１０６及び第４板状単位体１０８は、面剛性を備え、垂直方向に立てることができる。
【００２７】
第１板状単位体１０２及び第２板状単位体１０４は、上端縁の一方端に切り欠き１４０及び切り欠き１４２が形成されている。
第１板状単位体１０２と第２板状単位体１０４には同一形状であり接続部材２００により連結されるとき、第１板状単位体１０２の切り欠き１４０と第２板状単位体１０４の切り欠き１４２とがつながるように、連結される。
そして、連結された第１板状単位体１０２と第２板状単位体１０４は、その幅方向の中央に切り欠き１４０及び切り欠き１４２が位置し、第１の便座部構成体２０と第２の便座部構成体３０の連結部分（接合部分）を受容するための空間を形成する。
【００２８】
便器本体１４は、板状の胴部５０が、屈曲自在に連結する第２連結部８２により並列された支持構成体７０（第１支持構成体７２，第２支持構成体７４，第３支持構成体７６，第４支持構成体７８）を、複数、屈曲自在に連結する第１連結部８０により斜交又は直交するように連結されて形成されている。
前記第１連結部８０は、左右の方形の揺動片２０４及び揺動片２０６と、左右の揺動片２０４及び揺動片２０６の間において長手方向にのびるヒンジ部２０２とを有し、ヒンジ部２０２を挟んで、並列される板状単位体１００と連結するための係止部２１０を形成されている。
前記第１連結部８０は、角筒状の便器本体１４の角部６４を形成するように構成されている。
【００２９】
便器本体１４は、屈曲自在に連結する第１連結部８０により複数の第１支持構成体７２，第２支持構成体７４，第３支持構成体７６及び第４支持構成体７８が並列された支持構成体７０によって構成されている。
一方の端の支持構成体７２と一他方の端の第４支持構成体７８とは、それぞれの遊端縁に形成された第３連結部８４により連結される。
連結された複数の第１支持構成体７２，第２支持構成体７４，第３支持構成体７６及び第４支持構成体７８の境界の第１連結部８０において、複数の第１支持構成体７２，第２支持構成体７４，第３支持構成体７６及び第４支持構成体７８が斜交又は直交して、第１連結部８０が角筒状の便器本体１４の角部６４を形成するように構成されている。
【００３０】
複数の支持構成体７０は、略々同一の方形の板状単位体１００を並列して第２連結部８２により連結されている。
前記第２連結部８２は、左右の方形の揺動片２０４及び揺動片２０６と、左右の揺動片２０４及び揺動片２０６の間において長手方向にのびるヒンジ部２０２とを有し、ヒンジ部２０２を挟んで並列される板状単位体１００と連結するための係止部２１０を形成されている。
前記板状単位体１００は、並列する板状単位体第１板状単位体１０２，第２板状単位体１０４，第３板状単位体１０６，第４板状単位体１０８に形成された係止部１２０と第２連結部８２の係止部２１０とを連結して、屈曲自在に連結されている。
【００３１】
第１板状単位体１０２及び第２板状単位体１０４は、左端縁の近傍に（板状単位体の）係止部１２０を構成する（左側の）段差部１５４が形成され、右端縁の近傍に（板状単位体の）係止部１２０を構成する（右側の）段差部１５６が形成されている。（左側の）段差部１５４は、（板状単位体の）係止部１２０を構成する貫通孔１５０が穿設され、（右側の）段差部１５６は、（板状単位体の）係止部１２０を構成する貫通孔１５２が穿設されている。
又、第３板状単位体１０６及び第４板状単位体１０８は、左端縁の近傍に（板状単位体の）係止部１２０を構成する（左側の）段差部１５４が形成され、右端縁の近傍に（板状単位体の）係止部１２０を構成する（右側の）段差部１５６が形成されている。（左側の）段差部１５４は、貫通孔１５０が穿設され、（右側の）段差部１５６は、（板状単位体の）係止部１２０を構成する貫通孔１５２が穿設されている。
【００３２】
この実施の形態においては、便器本体１４は、その胴部５０が、複数枚の板状単位体１００を、隣接する側端部で接続部材２００により屈曲自在に連結してなる支持構成体７０により形成される。
並列した複数の板状単位体１００が接続部材２００によって連結されたときに、並列された第１板状単位体１０２と第２板状単位体１０４と第３板状単位体１０６と第４板状単位体１０８とは、その上端縁が横一直線状に整列され、且つその下端縁が横一直線に整列される。
而して、便器本体１４が水平な載置面に下端縁をおいて載置されたとき、便器本体１４の上端縁が水平になり、その上端縁に取り付けられた便座部１２が略水平を維持できる。
【００３３】
前記接続部材２００は、第１連結部８０及び第２連結部８２を構成し、板状単位体１００を水平方向に折り畳むためのヒンジ部２０２と、ヒンジ部２０２の両側に構成され、接続部材２００を板状単位体１００に固定するための揺動片２０４及び揺動片２０６とを有している。
接続部材２００は、比較的弾力性を有するポリプロピレンによって形成されている。
【００３４】
接続部材２００のヒンジ部２０２は、接続部材２００の長手方向にのびる筋状の薄肉部で構成されている。
支持構成体７０を構成する第１板状単位体１０２、第２板状単位体１０４、第３板状単位体１０６及び第４板状単位体１０８を複数の接続部材２００によって連結したとき、複数の接続部材２００のヒンジ部２０２は、平行となり、且つ、第１板状単位体１０２、第２板状単位体１０４、第３板状単位体１０６及び第４板状単位体１０８の左端縁及び右端縁は、平行になるように連結される。
【００３５】
接続部材２００のヒンジ部２０２は、揺動片２０４と揺動片２０６を９０度ないし１８０度拡開することができるように、屈曲する。
前記接続部材２００のヒンジ部２０２は、板状単位体１００の隣接する側端部の折り畳み方向が交互になるように構成されている。
前記支持構成体７０は、折り畳み収納姿勢のときには順次水平方向にジクザグ状に折り畳み可能で且つ展開直立姿勢のときには遊端を連結され、起立させた状態において便座部１２により保型される。
【００３６】
接続部材２００のヒンジ部２０２は、揺動片２０４及び揺動片２０６の端から端まで直線状に連続して、隣接する各板状単位体１００の側端縁の折り畳み方向が交互になっており、板状単位体１００は、ジグザグ状に折り畳まれる。
各板状単位体１００（第１板状単位体１０２，第２板状単位体１０４，第３板状単位体１０６，第４板状単位体１０８）は、ヒンジ部２０２において、折り畳むと、ヒンジ部２０２の両側に連結された各板状単位体１００の表面が対向して各々が積み重ねられて各板状単位体１００（第１板状単位体１０２，第２板状単位体１０４，第３板状単位体１０６，第４板状単位体１０８）が束になる。
【００３７】
隣接する板状単位体１００は、その側端部が接し合っており、隣接する板状単位体１００を連結する接続部材２００は、隣接する板状単位体１００の接し合った側端部が拡開するようにヒンジ部２０２が折れ曲がる。
支持構成体７０は、折り畳み収納姿勢とするときに、第４支持構成体７８を構成する第１板状単位体１０２と第２板状単位体１０４とを連結する第８接続部材２３４から、固定部材２０８を抜き取り、第４支持構成体７８を構成する第１板状単位体１０２と第２板状単位体１０４とを分離する。
そして、支持構成体７０は、接続部材２００のヒンジ部２０２で、支持構成体７０を構成する板状単位体１００を順次ジグザグ状に水平方向に折り畳むことにより、収納姿勢となる。
【００３８】
この実施の形態においては、第１支持構成体７２を構成する第１板状単位体１０２と第２板状単位体１０４との間を連結する第１接続部材２２０は、内側に開き、第１板状単位体１０２の外側面と第２板状単位体１０４の外側面とが対向する。
第１接続部材２２０と隣接する第２接続部材２２２は、第１支持構成体７２を構成する第１板状単位体１０２と第２支持構成体７４を構成する第４板状単位体１０８とを連結するものであって、外側に開き、第１板状単位体１０２の内側面と第４板状単位体１０８の内側面とが対向する。
第２接続部材２２２に隣接する第３接続部材２２４は、第２支持構成体７４を構成する第４板状単位体１０８と第２支持構成体７４を構成する第３板状単位体１０６とを連結するものであって、内側に開き、第４板状単位体１０８の外側面と第３板状単位体１０６の外側面とが対向する。
第３接続部材２２４に隣接する第４接続部材２２６は、第２支持構成体７４を構成する第３板状単位体１０６と第４支持構成体７８を構成する第２板状単位体１０４とを連結するものであって、外側に開き、第３板状単位体１０６の内側面と第２板状単位体１０４の内側面とが対向する。
第６接続部材２３０に隣接する第７接続部材２３２は、第３支持構成体７６を構成する第４板状単位体１０８と第４支持構成体７８を構成する第１板状単位体１０２とを連結するものであって、外側に開き、第１板状単位体１０２の内側面と第４板状単位体１０８の内側面とが対向する。
第７接続部材２３２に隣接する第６接続部材２３０は、第３支持構成体７６を構成する第３板状単位体１０６と第３支持構成体７６を構成する第４板状単位体１０８とを連結するものであって、内側に開き、第３板状単位体１０６の外側面と第４板状単位体１０８の外側面とが対向する。
第６接続部材２３０に隣接する第５接続部材２２８は、第１支持構成体７２を構成する第２板状単位体１０４と第３支持構成体７６を構成する第３板状単位体１０６とを連結するものであって、外側に開き、第２板状単位体１０４の内側面と第３板状単位体１０６の内側面とが対向する。
第１支持構成体７２を構成する第１板状単位体１０２と第２板状単位体１０４とが、第１支持構成体７２を構成する第３板状単位体１０６と第２支持構成体７４を構成する第４板状単位体１０８とが、第２支持構成体７４を構成する第３板状単位体１０６と第４板状単位体１０８とが及び第２支持構成体７４を構成する第３板状単位体１０６と第４支持構成体７８を構成する第２板状単位体１０４とが、ジグザグ状に折れ曲がる。
第１支持構成体７２を構成する第２板状単位体１０４と第３支持構成体７６を構成する第３板状単位体１０６とが、第３支持構成体７６を構成する第３板状単位体１０６と第４板状単位体１０８とが、第３支持構成体７６を構成する第４板状単位体１０８と第４支持構成体７８を構成する第１板状単位体１０２とが、ジグザグ状に折れ曲がる。
【００３９】
第１連結部８０を構成する第２接続部材２２２、第４接続部材２２６、第５接続部材２２８及び第７接続部材２３２は、外側に開く。
第２連結部８２を構成する第１接続部材２２０、第３接続部材２２４、第６接続部材２３０及び第８接続部材２３４は、内側に開く。
【００４０】
この実施の形態においては、（板状単位体の）係止部１２０は、（接続部材の）係止部２１０を構成する円筒状部を嵌挿するための貫通孔１５０及び貫通孔１５２を備えている。
又、（板状単位体の）係止部１２０は、接続部材２００を構成する揺動片２０４及び揺動片２０６を固定するために、揺動片２０４及び揺動片２０６の外周縁に沿った（左側の）段差部１５４及び（右側の）段差部１５６を備えている。
【００４１】
接続部材２００は、接続部材２００が固定された板状単位体１００の面とは反対側の面から貫通孔１５０及び貫通孔１５２に貫挿され固定された固定部材２０８により、板状単位体１００の（左側の）段差部１５４と（右側の）段差部１５６とに固定される。
固定部材２０８は、円板状の頭部と、頭部から突設された脚部とからなり、その脚部を接続部材２００の揺動片２０４及び揺動片２０６の嵌合用穴部に嵌合して、接続部材２００の揺動片２０４及び揺動片２０６に固定される。
固定部材２０８は、比較的滑り易く、強度のあるポリアセタールで形成されている。
【００４２】
第１支持構成体７２を構成する第１板状単位体１０２と第２板状単位体１０４とを連結する第１接続部材２２０は、第１板状単位体１０２と第２板状単位体１０４の外側より第１板状単位体１０２の（右側の）段差部１５６と第２板状単位体１０４の（左側の）段差部１５４に嵌め合わされ、第１板状単位体１０２と第２板状単位体１０４の内側より嵌挿された固定部材２０８により固定される。
第１接続部材２２０は、第２連結部８２を構成する。
【００４３】
第２支持構成体７４を構成する第３板状単位体１０６と第４板状単位体１０８とを連結する第３接続部材２２４は、第３板状単位体１０６と第４板状単位体１０８の外側より第３板状単位体１０６の（右側の）段差部１５６と第４板状単位体１０８の（左側の）段差部１５４に嵌め合わされ、第３板状単位体１０６と第４板状単位体１０８の内側より嵌挿された固定部材２０８により固定される。
第３接続部材２２４は、第２連結部８２を構成する。
【００４４】
第３支持構成体７６を構成する第３板状単位体１０６と第４板状単位体１０８とを連結する第６接続部材２３０は、第３板状単位体１０６と第４板状単位体１０８の外側より第３板状単位体１０６の（右側の）段差部１５６と第４板状単位体１０８の（左側の）段差部１５４に嵌め合わされ、第３板状単位体１０６と第４板状単位体１０８の内側より嵌挿された固定部材２０８により固定される。
第６接続部材２３０は、第２連結部８２を構成する。
【００４５】
第４支持構成体７８を構成する第１板状単位体１０２と第２板状単位体１０４とを連結する第８接続部材２３４は、第１板状単位体１０２と第２板状単位体１０４の外側より第１板状単位体１０２の（左側の）段差部１５４と第２板状単位体１０４の（右側の）段差部１５６に嵌め合わされ、第１板状単位体１０２と第２板状単位体１０４の内側より嵌挿された固定部材２０８により固定される。
第８接続部材２３４は、第３連結部８４を構成する。
【００４６】
第１支持構成体７２と第２支持構成体７４とを連結する第２接続部材２２２は、第１  板状単位体１０２と第４板状単位体１０８との内側より、第１支持構成体７２の第１板  状単位体１０２の（左側の）段差部１５４に嵌め合され且つ第２支持構成体７４の第４  板状単位体１０８の（右側の）段差部１５６に嵌め合されて、第１板状単位体１０２と  第４板状単位体１０８の外側より嵌挿された固定部材２０８により固定される。
第２接続部材２２２は、第１連結部８０を構成する。
【００４７】
第１支持構成体７２と第３支持構成体７６とを連結する第７接続部材２３２は、第２  板状単位体１０４と第３板状単位体１０６との内側より、第１支持構成体７２の第２板  状単位体１０４の（右側の）段差部１５６に嵌め合され且つ第３支持構成体７６の第３  板状単位体１０６の（左側の）段差部１５４に嵌め合されて、第２板状単位体１０４と  第３板状単位体１０６の外側より嵌挿された固定部材２０８により固定される。
第７接続部材２３２は、第１連結部８０を構成する。
【００４８】
第２支持構成体７４と第４支持構成体７８とを連結する第４接続部材２２６は、第３  板状単位体１０６と第１板状単位体１０２との内側より、第２支持構成体７４の第３板  状単位体１０６の（左側の）段差部１５４に嵌め合され且つ第４支持構成体７８の第１  板状単位体１０２の（右側の）段差部１５６に嵌め合されて、第３板状単位体１０６と  第１板状単位体１０２の外側より嵌挿された固定部材２０８により固定される。
第４接続部材２２６は、第１連結部８０を構成する。
【００４９】
第３支持構成体７６と第４支持構成体７８とを第５接続部材２２８は、第４板状単位  体１０８と第２板状単位体１０４との内側より、第３支持構成体７６の第４板状単位体  １０８の（右側の）段差部１５６に嵌め合され且つ第４支持構成体７８の第２板状単位  体１０４の（右側の）段差部１５６に嵌め合されて、第４板状単位体１０８と第２板状  単位体１０４の外側より嵌挿された固定部材２０８により固定される。
第５接続部材２２８は、第１連結部８０を構成する。
【００５０】
胴部５０の下部には、底板が嵌め込まれる。
この実施の形態においては、底板は、合成樹脂等の表面視方形の平板で構成されており、胴部５０の下部の開口部分に対応する表面形状を備える。
底板として、第１板状単位体１０２第２板状単位体１０４を接合部材２００で連結されたものが用いることができる。
底板は、底板の下部の係合凹部に胴部５０の下部の係合凸部を嵌め込まれ、胴部５０を保型する。
【００５１】
本実施の形態では、便器本体１４に底部を形成したが、便器本体１４は、使用に耐える強度を与えることができるのであれば、底部を持たない筒状の便器本体１４とすることも可能である。
【００５２】
胴部５０は、その下部が、角部６４に嵌められた角部保型材６６によって、保型される。
角部保型材６６は、平面視Ｌ字型の合成樹脂製ブロックであり、便器本体１４の脚部を構成する。角部保型材６６は、その中央に平面視Ｌ字型の板状単位体１００を嵌め込むための溝が凹設されている。
【００５３】
便収容袋５００は、便器本体１４に収容された便収容袋５００の開口部６２の近傍を便器本体１４の開口縁に内側から外側に向けて被せられ、
便座部１２は、その係合部２２及び係合部３２が便器本体１４の開口縁に被せられた便収容袋５００の上から被せられ、便収容袋５００を間に挟んで、便器本体１４に連結される。
【００５４】
前記実施の形態においては、第３連結部８４は、第２連結部８２を構成する接続部材２００と同一の構造のものを採用しているが、それとは異なり、図２４に示すとおり、支持構成体７０の一方端を構成する第１板状単位体１０２に形成された逆L字型の掛止片３０４と、支持構成体７０の他方端を構成する第８板状単位体１１８に形成された縦長長方形の掛止孔３０２ａを形成された掛止片３０２とにより構成された接続部３００によって構成してもよい。
第１板状単位体１０２の掛止片３０４を第８板状単位体１１８の掛止片３０２の掛止孔３０２ａに掛止するときは、支持構成体７０の構成する第１支持構成体７２を、掛止片３０４の内側に形成された切込みの開放部側を上方に持ち上げ、支持構成体７０を撓めながら、掛止片３０４の開放部側を掛止片３０２の掛止孔３０２ａに差し込み、支持構成体７０を下方に戻すことにより、掛止片３０４が掛止孔３０２ａに掛け止められる。
【００５５】
(別の実施の形態)
次に、図１図示実施の形態とは異なる第２の実施の形態について、主として図２５ないし図３０に基づいて説明する。
第２の実施の形態である簡易便器は、狭い場所、例えば、自動車の車内のような狭い場所において用いられるものであり、便器本体１４が比較的背が低い。
便器本体１４は、段ボールの流れ方向に長い方形状に抜き加工された支持構成体７０により、形成される。
【００５６】
便器本体１４を構成する支持構成体７０は、前壁部５２と、左側壁部５４、右側壁部５６、後壁部５８とを並列されており、前壁部５２と左側壁部５４との間、左側壁部５４と右側壁部５６との間に角部６４を構成するヒンジ部２０２が形成されている。
前壁部５２は、第１支持構成体７２により生成され、左側壁部５４は、第２支持構成体７４により形成され、右側壁部５６は、第３支持構成体７６により形成され、後壁部５８は、第４支持構成体７８により形成されている。
支持構成体７０は、第１支持構成体７２と第２支持構成体７４との間のヒンジ部２０２、第２支持構成体７４と第３支持構成体７６との間のヒンジ部２０２、第３支持構成体７６と第４支持構成体７８との間のヒンジ部２０２によって区画されている。
そして、ヒンジ部２０２を谷折りして、角部６４を形成する。
【００５７】
第２支持構成体７４に隣接する第４支持構成体７８は、逆Ｌ字型の掛止片３０４を形成され、第３支持構成体７６に隣接する第４支持構成体７８は、縦長長方形の掛止孔３０２ａが穿設された掛止片３０２が形成されている。
掛止片３０４を掛止片３０２に掛止めするときは、支持構成体７０を撓めながら、掛止片３０４側を持ち上げ、掛止片３０４の開放部を掛止片３０２の掛止孔３０２ａに差し込み、支持構成体７０を下方に戻すことにより、掛止片３０４が掛止孔３０２ａに掛け止められる。
【００５８】
便座部１２は、その下面側に、便器本体１４の上部の開口部６２に嵌め込むために、一対の第１の便座部構成体２０及び第２の便座部構成体３０に跨って形成された溝状の係合部２２及び係合部３２が形成されている。
第１の便座部構成体２０は、半環状の凹溝を下面側に形成することで便器本体１４の胴部５０に固定するための係合部２２を形成している。第２の便座部構成体３０は、半環状の凹溝を下面側に形成することで便器本体１４の胴部５０に固定するための係合部３２を形成している。
【００５９】
一対の第１の便座部構成体２０及び第２の便座部構成体３０は、二つ折りになっている第１の便座部構成体２０及び第２の便座部構成体３０を展開して略水平面状にされた状態にて、溝状の係合部２２及び係合部３２が便器本体１４の開口部６２に嵌め込み固定される。
転化した一対の第１の便座部構成体２０及び第２の便座部構成体３０は、一対の第１の便座部構成体２０及び第２の便座部構成体３０に跨って、着座部２６と着座部３６がつながった円環状の着座部が形成され且つ中央に排便穴２４と排便穴３４とがつながった排便穴が形成されるように形成されている。
【００６０】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【符号の説明】
【００６１】
１０  簡易便器
１２  便座部
１４便器本体
２０  第１の便座部構成体
２２  係合部
２４  排便穴
２６  着座部
２８  連結ヒンジ部
３０  第２の便座部構成体
３２  係合部
３４  排便穴
３６  着座部
３８  連結ヒンジ部
４０ａ  （一方端の）接合面
４２ａ  （他方端の）接合面
４４ａ  凸条
４６ａ  凹条
４０ｂ  （一方端の）接合面
４２ｂ  （他方端の）接合面
４４ｂ  凸条
４６ｂ  凹条
５０  胴部
５２  前壁部
５４  左側壁部
５６  右側壁部
５８  後壁部
６２  開口部
６４  角部
６６  角部保型材
７０  支持構成体
７２  第１支持構成体
７４  第２支持構成体
７６  第３支持構成体
７８  第４支持構成体
８０  第１連結部
８２  第２連結部
８４  第３連結部
１００  板状単位体
１０２  第１板状単位体
１０４  第２板状単位体
１０６  第３板状単位体
１０８  第４板状単位体
１２０  （板状単位体の）係止部
１２２  （第１板状単位体の）係止部
１２４  （第１板状単位体の）係止部
１２６  （第２板状単位体の）係止部
１２８  （第２板状単位体の）係止部
１３０  （第３板状単位体の）係止部
１３２  （第３板状単位体の）係止部
１３４  （第４板状単位体の）係止部
１３６  （第４板状単位体の）係止部
１４０  切り欠き
１４２  切り欠き
１５０  貫通孔
１５２  貫通孔
１５４  （左側の）段差部
１５６  （右側の）段差部
２００  接続部材
２０２  ヒンジ部
２０４，２０６  揺動片
２０８  固定部材
２１０  （接続部材の）係止部
２２０  第１接続部材
２２２  第２接続部材
２２４  第３接続部材
２２６  第４接続部材
２２８  第５接続部材
２３０  第６接続部材
２３２  第７接続部材
２３４  第８接続部材
３００  接続部
３０２  掛止片
３０２ａ  掛止孔
３０４  掛止片
５００  便収容袋
【図１】
2016202386.tif 000003
【図２Ａ】
2016202386.tif 000004
【図２Ｂ】
2016202386.tif 000005
【図３】
2016202386.tif 000006
【図４】
2016202386.tif 000007
【図５】
2016202386.tif 000008
【図６】
2016202386.tif 000009
【図７】
2016202386.tif 000010
【図８】
2016202386.tif 000011
【図９】
2016202386.tif 000012
【図１０】
2016202386.tif 000013
【図１１】
2016202386.tif 000014
【図１２】
2016202386.tif 000015
【図１３】
2016202386.tif 000016
【図１４】
2016202386.tif 000017
【図１５】
2016202386.tif 000018
【図１６Ａ】
2016202386.tif 000019
【図１６Ｂ】
2016202386.tif 000020
【図１７】
2016202386.tif 000021
【図１８】
2016202386.tif 000022
【図１９】
2016202386.tif 000023
【図２０】
2016202386.tif 000024
【図２１】
2016202386.tif 000025
【図２２】
2016202386.tif 000026
【図２３】
2016202386.tif 000027
【図２４】
2016202386.tif 000028
【図２５】
2016202386.tif 000029
【図２６】
2016202386.tif 000030
【図２７】
2016202386.tif 000031
【図２８】
2016202386.tif 000032
【図２９】
2016202386.tif 000033
【図３０】
2016202386.tif 000034